(57)【要約】      （修正有）【課題】引き輪式の留め具における引き輪本体に設けた切欠き溝から外方に突出する操作突起部の見栄えを良くすると同時に、その部分に凝りや炎症、その他の症状を治癒、改善させる機能をもたせた引き輪式留め具を提供する。【解決手段】引き輪式留め具１は環状体形状の引き輪本体と、該環状体を形成する中空管内に挿入したスプリング３と、中空管内を摺動する摺動ピン４とで構成する。引き輪本体は環状体の一部を切り開いて開口部５を設け、環状体の中空管の一部外側壁に切欠き溝７と、装身具の片側端部を繋ぐためのリング状部８を設ける。摺動ピンは半弧状とし、スプリングによりピン先端部が環状体の開口部を閉じる方向に付勢しておく。ピンの外面側には切欠き溝を通って外方に突出する操作突起部６を爪先等で操作可能な長さで設け、操作突起部の先端にはテラヘルツ波帯電磁波を放出する鉱物で製作した球体１０が取り付ける。【選択図】図２
0003228950.tif 000002
【実用新案登録請求の範囲】
【請求項１】
ネックレス、ブレスレット等の装身具の両端部を連結するための引き輪式留め具であって、
該引き輪式留め具は環状体形状の引き輪本体と、該環状体を形成する中空管内に挿入したスプリングと、中空管内を摺動する摺動ピンとで構成され、
前記引き輪本体は環状体の一部を切り開いて開口部が設けられ、環状体の中空管の一部外側壁には切欠き溝と、前記装身具の片側端部を繋ぐためのリング状部が設けてあり、
前記摺動ピンは半弧状のピンであって前記スプリングによりピン先端部が前記環状体の開口部を閉じる方向に付勢されており、ピンの外面側には前記切欠き溝を通って外方に突出する操作突起部が爪先等で操作可能な長さで設けてあり、該操作突起部の先端にはテラヘルツ波帯電磁波を放出する鉱物で製作した球体が取り付けてあることを特徴とする引き輪式留め具。
【請求項２】
請求項１に記載の引き輪式留め具において、前記鉱物は高純度シリコン又はシリコン化合物（珪素化合物）であることを特徴とする引き輪式留め具。
【考案の詳細な説明】
【技術分野】
【０００１】
本考案は、ネックレス、ブレスレット等の装身具の両端部を連結するための引き輪式の留め具に関する。
【背景技術】
【０００２】
ネックレス、ブレスレット等の装身具の両端部を連結するために用いられる留め具には各種方式があり、その一つに引き輪式の留め具（クラスプ）がある。引き輪式止め具の多くは、環状体に構成した引き輪本体の一部に開口部を設け、その引き輪本体内に該引き輪に沿って摺動可能な摺動ピンを挿入したものである。摺動ピンは引き輪本体内に取り付けたスプリングの弾性力により、その先端部が前記開口部を閉じる方向に付勢されている。また、摺動ピンには引き輪本体の環状部の一部外面に設けた切欠き溝から外方に突出する操作突起部が設けてあり、その操作突起部を爪先等で操作して摺動ピンを上記開口部が開く方向に移動させて開口部を一時的に開くことができる構造になっている（ 例えば、特許文献１参照）。
【０００３】
爪先等で操作する操作突起部の先端は、操作し易いようにある程度の大きさが必要であることから、多くの留め具では球形状あるいは小さい環形状にされている。引き輪式の留め具はネックレス、ブレスレット等の装身具の構成部品であることから、この操作突起部は見栄えが良いことが要求される。
【先行技術文献】
【特許文献】
【０００４】
【特許文献１】登録実用新案第２０４６７１１号公報
【考案の開示】
【考案が解決しようとする課題】
【０００５】
本考案は、引き輪式の留め具における引き輪本体に設けられた切欠き溝から外方に突出する操作突起部の見栄えを良くすると同時に、その部分に凝りや炎症、その他の症状を治癒、改善させる機能をもたせた引き輪式留め具を提供することにある。
【課題を解決するための手段】
【０００６】
前記課題を解決するための請求項１に記載の考案は、ネックレス、ブレスレット等の装身具の両端部を連結するための引き輪式留め具であって、該引き輪式留め具は環状体形状の引き輪本体と、該環状体を形成する中空管内に挿入したスプリングと、中空管内を摺動する摺動ピンとで構成され、前記引き輪本体は環状体の一部を切り開いて開口部が設けられ、環状体の中空管の一部外側壁には切欠き溝と、前記装身具の片側端部を繋ぐためのリング状部が設けてあり、前記摺動ピンは半弧状のピンであって前記スプリングによりピン先端部が前記環状体の開口部を閉じる方向に付勢されており、ピンの外面側には前記切欠き溝を通って外方に突出する操作突起部が爪先等で操作可能な長さで設けてあり、該操作突起部の先端にはテラヘルツ波帯電磁波を放出する鉱物で製作した球体が取り付けてあることを特徴とする引き輪式留め具である。
【０００７】
このような構成の引き輪式留め具によれば、ネックレス、ブレスレット等の装身具の一方の端部を留め具のリング状部に予め取り付けることにより引き輪式留め具を装身具の一方の端部に取り付けた状態にしておくことができる。そして装身具の他方の端部を取り付ける際は、摺動ピンのピン先端部を爪先等で操作して摺動ピンを摺動させ、引き輪本体の開口部を開かせる。その状態で装身具の他方の端部に取り付けた板カン、あるいは丸カンの穴に引き輪本体の環状体の管を通し、通した状態で摺動ピンを引き輪本体の開口部を閉じた状態に戻す。これにより装身具の両端が繋がった状態にすることができる。本考案の引き輪式留め具の場合、該操作突起部の先端にテラヘルツ波帯電磁波を放出する鉱物で製作した球体が取り付けてあることに大きな特徴がある。
【０００８】
テラヘルツ波帯電磁波を放出する鉱物から放射されたテラヘルツ波帯電磁波は皮膚に浸透し、その部分の細胞を活性化して新陳代謝を促し、凝りや炎症を改善させる効果を発揮する。ネックレスに採用した場合、引き輪式留め具は首の後ろに位置することになるため、首の後ろにある大椎（ツボ）が刺激されてツボ押しの効果が発揮される上、ツボがテラヘルツ波帯電磁波により刺激されてコリや炎症などが改善される効果が期待できる。
【０００９】
また、請求項２に記載の考案は、請求項１に記載の引き輪式留め具において、前記鉱物は高純度シリコン又はシリコン化合物（珪素化合物）であることを特徴とする引き輪式留め具である。
【００１０】
高純度シリコンやシリコン化合物はテラヘルツ波帯電磁波を効率良く放出するため、このような金属（鉱物）を用いることによりツボ押し効果が高まると同時に、ツボがテラヘルツ波帯電磁波により刺激されてコリや炎症などか改善される効果が高まる。
【図面の簡単な説明】
【００１１】
【図１】引き輪式留め具１の外観図である。
【図２】引き輪式留め具１の断面図である。
【考案を実施するための形態】
【００１２】
以下、本考案に係る引き輪式留め具の構成例を図を参照して説明する。
図１は本実施形態に係る引き輪式留め具１の外観図、図２はその断面図である。引き輪式留め具１は環状体形状の引き輪本体２と、該環状体を形成する中空管内に挿入されたスプリング３と、同じく中空管内に収納されて摺動する摺動ピン４とから構成されている。  
【００１３】
引き輪本体２を構成する環状体は中空管を用いて環状に形成され、環状体の一部は切り開かれて開口部５が設けられている。また、環状体の中空管の一部には摺動ピン４の後述する操作突起部６を通過させる切欠き溝７が設けられている。更に、環状体の中空管外面には装身具の片側端部を繋ぐためのリング状部８が設けられている。
【００１４】
摺動ピン４は半弧状のピンであって、前記スプリング３によりピン先端部が引き輪本体２の開口部５を閉じる方向に付勢されている。環状体の中空管内に収納されたスプリング３の一端は中空管を塞ぐ内壁９に当接し、他端が摺動ピン４の端に当接するように収納されて摺動ピン４を引き輪本体２の開口部５を閉じる方向に付勢している。また、摺動ピン４の外面には前記切欠き溝７を通って外方に突出する操作突起部６が設けられている。操作突起部６は爪先等で操作可能な長さにしてあり、その操作突起部６の先端にはテラヘルツ波帯電磁波を放出する鉱物で製作した球体１０が取り付けてある。
【００１５】
テラヘルツ波帯電磁波は周波数１ＴＨｚ（波長３００μｍ）前後の電磁波であり、赤外線とミリ波の中間帯に位置する電磁波である。自然界に存在する殆ど全ての物質は多かれ少なかれテラヘルツ波帯電磁波を放射している。本考案ではテラヘルツ波帯電磁波を放射する物質として、テラヘルツ波帯電磁波の放射効率が高い高純度シリコンを採用している。シリコン化合物（珪素化合物）でもよいが、シリコンそのものを採用している。その純度は９９％以上であることが好ましい。高純度シリコンは多結晶でもよいし、単結晶でもよい。シリコンのテラヘルツ波帯電磁波放射効率が高いのは、シリコン原子のエネルギーバンド構造が影響していると思われる。
【００１６】
球体１０を取り付けるために、摺動ピン４には図２に示すように二つ折りにした突起部が形成してある。そして、その突起部を球体１０に設けた穴に接着剤を付けて差し込んで固めている。
【００１７】
このような構成の引き輪式留め具１は次のように使用する。まず、ネックレス、ブレスレット等の装身具の一方の端部を引き輪本体２の外面に設けたリング状部８に繋ぎ、引き輪式留め具１を装身具の一方の端部に取り付けた状態にしておく。そして装身具の他方の端部を引き輪式留め具１に取り付ける際は、操作突起部６の先端の球体１０をつまんで摺動ピン４を摺動させ、引き輪本体の開口部５を開かせる。その状態で装身具の他方の端部に取り付けられた板カンあるいは丸カンの穴に引き輪本体２の環状体の管を通す。最後に、球体１０のつまみを解放し、スプリング３の力で摺動ピン４を引き輪本体の開口部が閉じた状態に戻させる。これにより装身具の両端が繋がった状態になる。
【００１８】
引き輪式留め具１を介して両端が繋がったネックレスは、引き輪式留め具１が首の後ろになるようにして首にかける。引き輪式留め具１に取り付けられた球体１０は首の後ろにある大椎（ツボ）を刺激してツボ押しの効果を発揮する。更に、球体１０から放射されるテラヘルツ波帯電磁波はツボを刺激する。これによりコリや炎症などか改善される効果を期待できる。
【符号の説明】
【００１９】
図面中、１は輪式留め具、２は引き輪本体、３はスプリング、４は摺動ピン、５は開口部、６は操作突起部、７は切欠き溝、８はリング状部、１０は球体を示す。
【図１】
0003228950.tif 000003
【図２】
0003228950.tif 000004